(57)【特許請求の範囲】
【請求項１】
柔軟な筒状ネットの筒軸線方向の中央位置から一側方に偏位した第１設定折り返し位置に、自然状態では前記筒状ネットの最大内径よりも小径に形成された拡径側に弾性変形可能な弾性リングが外装されており、  短尺側の筒状ネット部を、前記弾性リングを包み込む状態で前記第１設定折り返し位置において長尺側の筒状ネット部の外周面側に積層筒状に折り返した状態で、この筒状ネットの折り返し部位に、固形石鹸を出し入れ可能に前記弾性リングにて絞られた開口部が形成されており、  前記筒状ネットにおける前記開口部とは反対側において、前記短尺側の筒状ネット部の端部から離れた設定結節部位とこれに対応する前記長尺側の筒状ネット部の中間部位である設定結節部位と、一端側に操作摘み部と他端側に取付け基部とを備えた扱き操作用の操作部材の前記取付け基部が挾持固定される状態で第１結節部材にて結節されており、  前記長尺側の筒状ネット部の突出筒状ネット部分のうち、端部から第３設定折り返し位置までの第１分割突出筒状ネット部分が、前記第３設定折り返し位置から前記設定結節部位までの第２分割突出筒状ネット部分の外周面側に二層筒状に折り返されており、  前記二層筒状に折り返された突出筒状ネット部分の端部から離れた設定結節部位が、前記操作部材の取付け基部における前記第１結節部材の結節位置から前記操作摘み部側に偏位した部位において第２結節部材にて結節されており、  前記二層筒状にある突出筒状ネット部分を、前記第２結節部材で結節されている設定結節部位を第４設定折り返し位置として、前記短尺側の筒状ネット部の外周面側に表裏を反転させている泡立て具。
【請求項２】
柔軟な筒状ネットの筒軸線方向の中央位置から一側方に偏位した第１設定折り返し位置に、自然状態では前記筒状ネットの最大内径よりも小径に形成された拡径側に弾性変形可能な弾性リングを拡径操作して外装し、
短尺側の筒状ネット部を、前記弾性リングを包み込む状態で前記第１設定折り返し位置において長尺側の筒状ネット部の外周面側に積層筒状に折り返して、この筒状ネットの折り返し部位に、固形石鹸を出し入れ可能な状態で前記弾性リングにて絞られた開口部を形成し、
前記長尺側の筒状ネット部内における前記短尺側の筒状ネット部の端部に相当する部位に、一端側に操作摘み部と他端側に取付け基部とを備えた扱き操作用の操作部材の前記取付け基部を挿入配置し、
前記筒状ネットにおける前記開口部とは反対側において、前記短尺側の筒状ネット部の端部から離れた設定結節部位とこれに対応する前記長尺側の筒状ネット部の中間部位である設定結節部位とを、前記操作部材の取付け基部を挾持固定する状態で第１結節部材にて結節し、
前記長尺側の筒状ネット部の突出筒状ネット部分のうち、端部から第３設定折り返し位置までの第１分割突出筒状ネット部分を、前記第３設定折り返し位置から前記設定結節部位までの第２分割突出筒状ネット部分の外周面側に二層筒状に折り返し、
前記二層筒状に折り返された突出筒状ネット部分の端部から離れた設定結節部位を、前記操作部材の取付け基部における前記第１結節部材の結節位置から前記操作摘み部側に偏位した部位において第２結節部材にて結節処理し、
前記二層筒状にある突出筒状ネット部分を、前記第２結節部材で結節されている設定結節部位を第４設定折り返し位置として、前記短尺側の筒状ネット部の外周面側に表裏を反転させている泡立て具の製造方法。
【請求項３】
前記操作部材は、シリコンゴム製である請求項１に記載の泡立て具又は請求項２に記載の泡立て具の製造方法。
【請求項４】
前記筒状ネットは、ポリエチレン樹脂製である請求項１若しくは請求項３に記載の泡立て具又は請求項２若しくは請求項３に記載の泡立て具の製造方法。
【発明の詳細な説明】
【技術分野】
【０００１】
本発明は、例えば、液体石鹸や固形石鹸などの洗顔料を使用してメーク落しや洗顔する際に、洗顔料をきめ細かく泡立たせる泡立て具及びそれの製造方法に関する。
【背景技術】
【０００２】
従来の泡立て具では、柔軟な筒状ネットをそれの筒軸線方向中央位置に設定された設定折り返し位置で積層筒状に折り返し、この筒状ネットの折り返し部位に形成された開口部を通して固形石鹸を出し入れ可能に構成するとともに、前記筒状ネットにおける開口部とは反対側の両端部の近傍個所を、それらの中心に吊下げ用又は扱き操作用の操作部材を挿入配置した状態で結節バンドにて結節して構成されている（例えば、特許文献１、２参照）
【先行技術文献】
【特許文献】
【０００３】
【特許文献１】特許第３５３２４７９号公報
【特許文献２】特許第３７７１５７８号公報
【発明の概要】
【発明が解決しようとする課題】
【０００４】
従来の泡立て具では、筒状ネットの柔軟性を利用して当該筒状ネットの折り返し部位側に形成される開口部を大きく開口させることができるので、固形石鹸の出し入れを楽に行うことができるものの、筒状ネット内に固形石鹸を収納した状態で両手にて泡立たせる際、筒状ネットの開口部とは反対側の部位で強い泡立て操作力が加えられると、筒状ネット内に収納されていた固形石鹸が開口部から外部に飛び出す不都合がある。
【０００５】
しかも、洗い後においては、泡立て具と固形石鹸とを別々に洗浄・乾燥処理して保管する必要があるとともに、泡立て具の使用の度に筒状ネット内に固形石鹸を装着する必要があるため、泡立て具の取り扱いが煩雑化していた。
【０００６】
また、筒状ネット内に収納された固形石鹸の飛び出しを防止する対策として、筒状ネットの開口部を紐で縛ることが考えられるが、この場合は、泡立て具の取り扱いが一層煩雑化する問題がある。
【０００７】
本発明は、上述の実状に鑑みて為されたものであって、その主たる課題は、開口部を構成する筒状ネットの折り返し部での合理的な改造により、洗い時の固形石鹸の取り扱いや洗い後の洗浄・乾燥・保管等の取り扱いの容易化を図りながら筒状ネット内に収納されている固形石鹸が開口部から外部に飛び出すことを良好に抑制することのできる泡立て具及びそれの製造方法を提供する点にある。
【課題を解決するための手段】
【０００８】
本発明の請求項１に係る泡立て具は、柔軟な筒状ネットの筒軸線方向の中央位置から一側方に偏位した第１設定折り返し位置に、自然状態では前記筒状ネットの最大内径よりも小径に形成された拡径側に弾性変形可能な弾性リングが外装されており、
短尺側の筒状ネット部を、前記弾性リングを包み込む状態で前記第１設定折り返し位置において長尺側の筒状ネット部の外周面側に積層筒状に折り返した状態で、この筒状ネットの折り返し部位に、固形石鹸を出し入れ可能に前記弾性リングにて絞られた開口部が形成されており、
前記筒状ネットにおける前記開口部とは反対側において、前記短尺側の筒状ネット部の端部から離れた設定結節部位とこれに対応する前記長尺側の筒状ネット部の中間部位である設定結節部位とが、一端側に操作摘み部と他端側に取付け基部とを備えた扱き操作用の操作部材の前記取付け基部が挾持固定される状態で第１結節部材にて結節されており、
前記長尺側の筒状ネット部の突出筒状ネット部分のうち、端部から第３設定折り返し位置までの第１分割突出筒状ネット部分が、前記第３設定折り返し位置から前記設定結節部位までの第２分割突出筒状ネット部分の外周面側に二層筒状に折り返されており、
前記二層筒状に折り返された突出筒状ネット部分の端部から離れた設定結節部位が、前記操作部材の取付け基部における前記第１結節部材の結節位置から前記操作摘み部側に偏位した部位において第２結節部材にて結節されており、
前記二層筒状にある突出筒状ネット部分を、前記第２結節部材で結節されている設定結節部位を第４設定折り返し位置として、前記短尺側の筒状ネット部の外周面側に表裏を反転させているものである。
【０００９】
本発明の請求項２に係る泡立て具の製造方法は、柔軟な筒状ネットの筒軸線方向の中央位置から一側方に偏位した第１設定折り返し位置に、自然状態では前記筒状ネットの最大内径よりも小径に形成された拡径側に弾性変形可能な弾性リングを拡径操作して外装し、
短尺側の筒状ネット部を、前記弾性リングを包み込む状態で前記第１設定折り返し位置において長尺側の筒状ネット部の外周面側に積層筒状に折り返して、この筒状ネットの折り返し部位に、固形石鹸を出し入れ可能な状態で前記弾性リングにて絞られた開口部を形成し、
前記長尺側の筒状ネット部内における前記短尺側の筒状ネット部の端部に相当する部位に、一端側に操作摘み部と他端側に取付け基部とを備えた扱き操作用の操作部材の前記取付け基部を挿入配置し、
前記筒状ネットにおける前記開口部とは反対側において、前記短尺側の筒状ネット部の端部から離れた設定結節部位とこれに対応する前記長尺側の筒状ネット部の中間部位である設定結節部位とを、前記操作部材の取付け基部を挾持固定する状態で第１結節部材にて結節し、
前記長尺側の筒状ネット部の突出筒状ネット部分のうち、端部から第３設定折り返し位置までの第１分割突出筒状ネット部分を、前記第３設定折り返し位置から前記設定結節部位までの第２分割突出筒状ネット部分の外周面側に二層筒状に折り返し、
前記二層筒状に折り返された突出筒状ネット部分の端部から離れた設定結節部位を、前記操作部材の取付け基部における前記第１結節部材の結節位置から前記操作摘み部側に偏位した部位において第２結節部材にて結節処理し、
前記二層筒状にある突出筒状ネット部分を、前記第２結節部材で結節されている設定結節部位を第４設定折り返し位置として、前記短尺側の筒状ネット部の外周面側に表裏を反転させているものである。
【００１０】
本発明の請求項３に係る泡立て具又は泡立て具の製造方法は、請求項１の泡立て具又は請求項２の泡立て具の製造方法の構成に加え、前記操作部材は、シリコンゴム製であるものである。
【００１１】
本発明の請求項４に係る泡立て具又は泡立て具の製造方法は、請求項１若しくは請求項３の泡立て具又は請求項２若しくは請求項３の泡立て具の製造方法の構成に加え、前記操作部材は、シリコンゴム製であるものである。
【発明の効果】
【００１２】
本発明の請求項１に係る泡立て具は、開口部を構成する筒状ネットの折り返し部位の内部に弾性リングを装着するといった構造面及びコスト面で優れた合理的な改造により、洗い時の固形石鹸の取り扱いや洗い後の洗浄・乾燥・保管等の取り扱いの容易化を図りながら筒状ネット内に収納されている固形石鹸が開口部から外部に飛び出すことを良好に抑制することができる。
【００１３】
しかも、前記第１設定折り返し位置、第３設定折り返し位置及び第４設定折り返し位置において筒状ネットを折り返すことにより、筒状ネットの積層筒数の増加によってより肌理の細かい泡を容易に作ることができながら、第１結節部材及び第２結節部材の結節位置を異ならせることにより、一箇所で集合して結節する場合に比して結節数は増加するものの、個々の結節部での大きさが小さくなるため、収納された洗顔用固形石鹸を開口部側に片寄せた状態で両結節部材側を扱き操作して泡をとる場合でも、操作部材及び両結節部材，による扱き操作時の違和感を緩和することができる。
【００１４】
本発明の請求項２に係る泡立て具の製造方法は、本発明の請求項１に係る泡立て具をコスト面で有利に製造することができ、製造された泡立て具は請求項１の効果を奏する。
【図面の簡単な説明】
【００１５】
【図１】本発明の実施形態に関連した参考例を示す泡立て具の吊下げ時の正面図
【図２】本発明の実施形態に関連した参考例の泡立て具の製造方法の第１工程を示す正面図
【図３】本発明の実施形態に関連した参考例の泡立て具の製造方法の第２工程を示す正面図
【図４】本発明の実施形態に関連した参考例の泡立て具の製造方法の第３工程を示す正面図
【図５】本発明の実施形態に関連した参考例の泡立て具の製造方法の第４工程を示す正面図
【図６】本発明の実施形態に関連した参考例の泡立て具の製造方法の第５工程を示す正面図
【図７】本発明の実施形態に関連した参考例の泡立て具の製造方法の第６工程を示す正面図
【図８】本発明の実施形態に関連した参考例の泡立て具の製造方法で完成した泡立て具の正面図
【図９】本発明の実施形態に関連した参考例の泡立て具に固形石鹸を装着する直前の正面図（ａ）と装着後の正面図（ｂ）
【図１０】本発明の実施形態を示す製造方法の第１工程を示す正面図
【図１１】本発明の実施形態を示す製造方法の第２工程を示す正面図
【図１２】本発明の実施形態を示す製造方法の第３工程を示す正面図
【図１３】本発明の実施形態を示す製造方法の第４工程を示す正面図
【図１４】本発明の実施形態を示す製造方法で完成した泡立て具の正面図
【図１５】本発明の実施形態を示す泡立て具に固形石鹸を装着する直前の正面図（ａ）と装着後の正面図（ｂ）
【発明を実施するための形態】
【００１６】
〔参考例〕
図１〜図９は、洗顔用液体石鹸や洗顔用固形石鹸などの洗顔料を使用してメーク落しや洗顔する際に、洗顔料をきめ細かくクリーム状に泡立たせる参考例の泡立て具Ａ及びそれの製造方法を示す。
【００１７】
泡立て具Ａは、目の細かい網目で円筒状に形成された柔軟な樹脂製（例えば、ポリエチレン等の熱可塑性樹脂）の筒状ネット１のうち、それの筒軸線方向の中央位置から一側方に偏倚した位置を設定折り返し位置Ｐ１に設定し、この設定折り返し位置Ｐ１で筒状ネット１を積層筒状に折り返すとともに、筒状ネット１の折り返し部位１ａの内部には、自然状態（無操作状態）では筒状ネット１の最大内径よりも小径に形成された拡径側に弾性変形可能な弾性リングの一例であるゴム輪２を装着して、筒状ネット１の折り返し部位１ａに、洗顔用固形石鹸３を出し入れ可能な状態でゴム輪２にて絞られた開口部４を形成してある。
【００１８】
筒状ネット１の最大内径は、洗顔用固形石鹸３を余裕もって収納可能な収納空間を形成することのできる内径に構成されている。
【００１９】
ゴム輪２の自然状態での内径は、図９に示すように、筒状ネット１の最大内径よりもかなり小径に構成されていて、積層筒状の筒状ネット１内の収納空間に収納された洗顔用固形石鹸３が泡立て具Ａの吊下げ時に自重で開口部４から抜け落ちないだけの弾性挾持力に設定されているとともに、ゴム輪２は、筒状ネット１の内径と略同径又はそれよりも大径にまで拡径操作可能に構成されている。
【００２０】
ゴム輪２の自然状態での内径は、当該ゴム輪２の拡径操作性から見ると一本の指が少し余裕をもって挿入可能な大きさが望ましい。
【００２１】
また、筒状ネット１における折り返し部位１ａの一側方に連続する長尺側の筒状ネット部１Ｂのうち、折り返し部位１ａの他側方に連続する短尺側の筒状ネット部１Ａの端部１ｂから突出する突出筒状ネット部分１ＢＢが、短尺側の筒状ネット部１Ａの端部１ｂに相当する部位又はその近傍を第２設定折り返し位置Ｐ２として、短尺側の筒状ネット部１Ａの内面側に積層筒状に折り返されている。
【００２２】
長尺側の筒状ネット部１Ｂのうち、短尺側の筒状ネット部１Ａと同寸法で重合位置する重合筒状ネット部分１ＢＡの第２折り返し部位１ｃ側の筒軸芯相当位置には、吊下げ用の係止孔５ａを備え、且つ、クリーム状の泡を扱き取るときの把持部となる円環状の操作摘み部５ｂを一端側に一体形成してある軟質樹脂（例えば、シリコンゴム）製の操作部材５のうち、他端側に形成されているＴ字状の取付け基部５ｃが挿入配置されている。
【００２３】
さらに、筒状ネット１における開口部４とは反対側において、短尺側の筒状ネット部１Ａの端部１ｂから少し離れた設定結節部位（設定閉塞部位）とこれに対応する長尺側の筒状ネット部１Ｂの中間部位である設定結節部位（設定閉塞部位）とが、操作部材５の取付け基部５ｃを挾持固定する状態で閉塞手段を構成する柔軟又は軟質の樹脂製の第１結節部材６にて結節されている。
【００２４】
この第１結節部材６は、その一端に形成されている係止筒部に他端側を挿入すると、当該第１結節部材６の一側面に形成されている多数の被係止部に対して係止筒部に設けられている係止部が選択的に抜止め状態で係合し、第１結節部材６を締め込み操作した内径に維持する。
【００２５】
操作部材５の取付け基部５ｃが存在する泡立て具Ａの閉塞側は、少なくとも長尺側の筒状ネット部１Ｂの突出筒状ネット部分１ＢＢと短尺側の筒状ネット部１Ａ及び長尺側の筒状ネット部１Ｂの重合筒状ネット部分１ＢＡとの三層構造となり、筒状ネット１の積層筒数の増加によってより肌理の細かい泡を容易に作ることができるとともに、収納された洗顔用固形石鹸３を開口部４側に片寄せた状態で第１結節部材６側を扱き操作してクリーム状の泡を取る場合でも、操作部材５の取付け基部５ｃ及び第１結節部材６による扱き操作時の違和感を緩和することができる。
【００２６】
次に、上述の如く構成された参考例の泡立て具Ａの製造方法を説明する。
〔１〕図２に示すように、柔軟な樹脂製の筒状ネット１のうち、それの筒軸線方向の中央位置から一側方に偏倚した設定折り返し位置Ｐ１に、自然状態（無操作状態）では筒状ネット１の最大内径よりも小径に形成された拡径側に弾性変形可能なゴム輪（弾性リングの一例）２を拡径操作して外装する。
【００２７】
そのため、設定折り返し位置Ｐ１の一側方（図２の右側）に連続する筒状ネット部１Ｂの筒軸線方向の長さが、設定折り返し位置Ｐ１の他側方（図２の左側）に連続する筒状ネット部１Ａの筒軸線方向の長さよりも長尺になる。
【００２８】
この参考例では、短尺側の筒状ネット部１Ａの長さが筒状ネット１の全長の３／７に、長尺側の筒状ネット部１Ｂの重合筒状ネット部分１ＢＡの長さが筒状ネット１の全長の３／７に、さらに、長尺側の筒状ネット部１Ｂの突出筒状ネット部分１ＢＢの長さが筒状ネット１の全長の１／７にそれぞれ設定されている。
【００２９】
〔２〕図３に示すように、短尺側の筒状ネット部１Ａを、ゴム輪２を包み込む状態で設定折り返し位置Ｐ１において長尺側の筒状ネット部１Ｂの外周面側に積層筒状に折り返す。
【００３０】
この筒状ネット１の折り返し部位１ａには、洗顔用固形石鹸３を出し入れ可能な状態でゴム輪２にて絞られた開口部４が形成されている。
【００３１】
〔３〕図４に示すように、長尺側の筒状ネット部１Ｂのうち、短尺側の筒状ネット部１Ａの端部１ｂから突出する突出筒状ネット部分１ＢＢを、短尺側の筒状ネット部１Ａの端部１ｂに相当する部位又はその近傍を第２設定折り返し位置Ｐ２として、短尺側の筒状ネット部１Ａの外周面側に積層筒状に折り返す。
【００３２】
〔４〕図５に示すように、長尺側の筒状ネット部１Ｂのうち、短尺側の筒状ネット部１Ａと同寸法で重合位置する重合筒状ネット部分１ＢＡの第２折り返し部位１ｃ側の筒軸芯相当位置には、操作部材５の一端側に形成されている操作摘み部５ｂを挿入配置する。
この参考例では、操作部材５の取付け基部５ｃの先端側のみが外部に突出する。
【００３３】
〔５〕図６、図７に示すように、筒状ネット１における開口部４とは反対側において、短尺側の筒状ネット部１Ａの端部１ｂから少し離れた設定結節部位（設定閉塞部位）Ｐ３とこれに対応する長尺側の筒状ネット部１Ｂの中間部位である設定結節部位（設定閉塞部位）Ｐ３とを、操作部材５の取付け基部５ｃを挾持固定する状態で樹脂製の第１結節部材６にて結節処理する。
【００３４】
その後、長尺側の筒状ネット部１Ｂの突出筒状ネット部分１ＢＢと短尺側の筒状ネット部１Ａ及び長尺側の筒状ネット部１Ｂの重合筒状ネット部分１ＢＡとを、第１結節部材６の結節位置を中心に表裏を反転させ、泡立て具Ａの製造を終了する。
【００３５】
泡立て具Ａの完成状態では、最外側に長尺側の筒状ネット部１Ｂの重合筒状ネット部分１ＢＡが位置し、その内側に短尺側の筒状ネット部１Ａが位置し、最内側に長尺側の筒状ネット部１Ｂの突出筒状ネット部分１ＢＢが位置することになる。
【００３６】
尚、上述の如く構成された泡立て具Ａの別参考例として、長尺側の筒状ネット部１Ｂの突出筒状ネット部分１ＢＢを倍以上の長さに形成して、この突出筒状ネット部分１ＢＢをそれの筒軸線方向中央部（中間部）に設定された第３設定折り返し位置Ｐ４で積層筒状に折り返し、この状態で短尺側の筒状ネット部１Ａの外方に折り返してもよい。
【００３７】
〔実施形態〕
図１０〜図１５に示す実施形態の泡立て具Ａでは、短尺側の筒状ネット部１Ａの長さが筒状ネット１の全長の１／６に、長尺側の筒状ネット部１Ｂの重合筒状ネット部分１ＢＡの長さが筒状ネット１の全長の１／６に、さらに、長尺側の筒状ネット部１Ｂの突出筒状ネット部分１ＢＢの長さが筒状ネット１の全長の２／３にそれぞれ設定されている。
【００３８】
そして、短尺側の筒状ネット部１Ａを、ゴム輪２を包み込む状態で設定折り返し位置Ｐ１において長尺側の筒状ネット部１Ｂの外周面側に積層筒状に折り返したのち、短尺側の筒状ネット部１Ａの端部１ｂから突出する長尺側の筒状ネット部１Ｂの突出筒状ネット部分１ＢＢを、それの筒軸線方向中央位置（中間部）に設定された第３設定折り返し位置Ｐ４で二層筒状に折り返す。
【００３９】
詳しくは、長尺側の筒状ネット部１Ｂの突出筒状ネット部分１ＢＢのうち、端部から第３設定折り返し位置Ｐ４までの第１分割突出筒状ネット部分１ＢＢａを、第３設定折り返し位置Ｐ４から第１結節部材６で結節されている設定結節部位（設定閉塞部位）Ｐ３までの第２分割突出筒状ネット部分１ＢＢｂの外周面側（図１４の完成状態では内周面側となる）に二層筒状に折り返す。
【００４０】
さらに、この二層筒状にある突出筒状ネット部分１ＢＢを、第２結節部材７で結節されている設定結節部位（設定閉塞部位）Ｐ５を第４設定折り返し位置として、短尺側の筒状ネット部１Ａの外周面側に表裏を反転させ、泡立て具Ａの製造を終了する。
【００４１】
次に、上述の如く構成された実施形態の泡立て具Ａの製造方法を説明する。
〔１〕図１０に示すように、柔軟な樹脂製の筒状ネット１のうち、それの筒軸線方向の中央位置から一側方に偏倚した設定折り返し位置Ｐ１に、自然状態（無操作状態）では筒状ネット１の最大内径よりも小径に形成された拡径側に弾性変形可能なゴム輪（弾性リングの一例）２を拡径操作して外装する。
【００４２】
その後、短尺側の筒状ネット部１Ａを、ゴム輪２を包み込む状態で設定折り返し位置Ｐ１において長尺側の筒状ネット部１Ｂの外周面側に積層筒状に折り返す。
この筒状ネット１の折り返し部位１ａには、洗顔用固形石鹸３を出し入れ可能な状態でゴム輪２にて絞られた開口部４が形成されている。
【００４３】
〔２〕図１１に示すように、長尺側の筒状ネット部１Ｂ内における短尺側の筒状ネット部１Ａの端部１ｂに相当する部位に、操作部材５の取付け基部５ｃを挿入配置する。
【００４４】
〔３〕図１２に示すように、筒状ネット１における開口部４とは反対側において、短尺側の筒状ネット部１Ａの端部１ｂから少し離れた設定結節部位（設定閉塞部位）Ｐ３とこれに対応する長尺側の筒状ネット部１Ｂの中間部位である設定結節部位（設定閉塞部位）Ｐ３とを、操作部材５の取付け基部５ｃを挾持固定する状態で樹脂製の第１結節部材６にて結節処理する。
【００４５】
〔４〕図１３に示すように、長尺側の筒状ネット部１Ｂの突出筒状ネット部分１ＢＢのうち、端部から第３設定折り返し位置Ｐ４までの第１分割突出筒状ネット部分１ＢＢａを、第３設定折り返し位置Ｐ４から第１結節部材６で結節されている設定結節部位（設定閉塞部位）Ｐ３までの第２分割突出筒状ネット部分１ＢＢｂの外周面側（図１４の完成状態では内周面側となる）に二層筒状に折り返す。
【００４６】
二層筒状に折り返された突出筒状ネット部分１ＢＢの端部から少し離れた設定結節部位（設定閉塞部位）を、操作部材５の取付け基部５ｃにおける第１結節部材６の結節位置から操作摘み部５ｂ側に偏位した部位において別の第２結節部材７にて結節処理する。
【００４７】
このように結節位置を異ならせることにより、一箇所で集合して結節する場合に比して結節数は増加するものの、個々の結節部での大きさが小さくなるため、収納された洗顔用固形石鹸３を開口部４側に片寄せた状態で結節部材６，７側を扱き操作して泡をとる場合でも、操作部材５及び結節部材６，７による扱き操作時の違和感を緩和することができる。
【００４８】
〔５〕図１４、図１５に示すように、二層筒状にある突出筒状ネット部分１ＢＢを、第２結節部材７で結節されている設定結節部位（設定閉塞部位）を第４設定折り返し位置Ｐ５として、短尺側の筒状ネット部１Ａの外周面側に表裏を反転させ、泡立て具Ａの製造を終了する。
【００４９】
尚、その他の構成は、参考例で説明した構成と同一であるから、同一の構成箇所には、参考例と同一の番号を付記してそれの説明は省略する。
【００５０】
〔その他の実施形態〕
（１）上述の実施形態では、吊下げ用の係止孔５ａを有する操作摘み部５ｂと取付け基部５ｃとを軟質樹脂で一体成形してある操作部材５を用いたが、この操作部材５としては、リングと連結紐から構成されているものであってもよい。
操作部材５としては、吊下げ機能と扱き操作時の摘み又は指掛け機能とを備えたものであれば、如何なる構造に構成してもよい。
さらに、吊下げ機能又は扱き操作時の摘み又は指掛け機能を備えた専用の部材を用いてもよい。
【００５１】
（２）上述の実施形態では、弾性リング２で絞られ開口部４を通して固形石鹸３を脱着可能に構成したが、この固形石鹸を使用しない場合には、網目状の柔軟なネット状生地から構成される泡立て促進部材を収納して、液体石鹸等で泡立て使用してもよい。
【００５２】
（３）上述の実施形態では、筒状ネット１における開口部４とは反対側の部位を閉塞処理する結節手段として、樹脂製の結節部材６，７を用いたが、これに限定されるものではなく、紐や糸等で結節処理してもよい。
【００５３】
（４）上述の実施形態では、筒状ネット１における開口部４とは反対側の部位を閉塞処理する閉塞手段として、結節部材６，７等による結節手段を採用したが、これに限定されるものではなく、縫製手段や接着手段等を採用してもよい。
【産業上の利用可能性】
【００５４】
以上説明したように、開口部を構成する筒状ネットの折り返し部での合理的な改造により、洗い時の固形石鹸の取り扱いや洗い後の洗浄・乾燥・保管等の取り扱いの容易化を図りながら筒状ネット内に収納されていた固形石鹸が開口部から外部に飛び出すことを良好に抑制することのできる泡立て具及びそれの製造方法を提供することができる。
【符号の説明】
【００５５】
Ｐ１    第１設定折り返し位置
Ｐ３    設定結節部位
Ｐ４    第３設定折り返し位置
Ｐ５    第４設定折り返し位置
１      筒状ネット
１ａ    折り返し部位
１Ａ    短尺側の筒状ネット部
１Ｂ    長尺側の筒状ネット部
１ＢＢ  突出筒状ネット部分
１ＢＢａ  第１分割突出筒状ネット部分
１ＢＢｂ  第２分割突出筒状ネット部分
２      弾性リング（ゴム輪）
３      固形石鹸
４      開口部
５      操作部材
５ｂ    操作摘み部
５ｃ    取付け基部
６      第１結節部材
７      第２結節部材
【図１】
0006040186.tif 000002
【図２】
0006040186.tif 000003
【図３】
0006040186.tif 000004
【図４】
0006040186.tif 000005
【図５】
0006040186.tif 000006
【図６】
0006040186.tif 000007
【図７】
0006040186.tif 000008
【図８】
0006040186.tif 000009
【図９】
0006040186.tif 000010
【図１０】
0006040186.tif 000011
【図１１】
0006040186.tif 000012
【図１２】
0006040186.tif 000013
【図１３】
0006040186.tif 000014
【図１４】
0006040186.tif 000015
【図１５】
0006040186.tif 000016